(57)【要約】【課題】可変色させても光束の変化が少ない照明装置を提供する。【解決手段】照明装置は、第１の色温度の光を発する第１の光源、第１の光源とは異なる第２の色温度の光を発する第２の光源、および電源部を備える。電源部は、第１の光源および第２の光源に電力を供給して発光させ、第１の光源が発する光と第２の光源が発する光とによって混色される照明光を所定の色再現領域Ａ内で可変色させる。電源部は、色再現領域Ａの上限側が、色温度の高い側および低い側の少なくともいずれか一方にピークを有するとともに、色温度の高い側と低い側との間で連続するように制御する。【選択図】図１
2015167083.tif 000002
【特許請求の範囲】
【請求項１】
第１の色温度の光を発する第１の光源と；
前記第１の光源とは異なる第２の色温度の光を発する第２の光源と；
前記第１の光源および前記第２の光源に電力を供給して発光させ、前記第１の光源が発する光と前記第２の光源が発する光とによって混色される照明光を所定の色再現領域内で可変色させ、かつ、前記色再現領域の上限側が、色温度の高い側および低い側の少なくともいずれか一方にピークを有するとともに、色温度の高い側と低い側との間で連続するように制御する電源部と；
を具備することを特徴とする照明装置。
【請求項２】
前記色再現領域の光束のピークは、色温度の高い側にある
ことを特徴とする請求項１記載の照明装置。
【請求項３】
前記色再現領域の光束の上限側は、色温度の高い側と低い側との差が２０％以内にある
ことを特徴とする請求項１または２記載の照明装置。
【発明の詳細な説明】
【技術分野】
【０００１】
本発明の実施形態は、照明光を可変色する照明装置に関する。
【背景技術】
【０００２】
従来、色温度の異なる２種類の光源、およびこれら各光源に電力を供給する電源部を備え、電源部で各光源を調光制御し、照明光を可変色するようにした照明器具がある。
【０００３】
このような照明器具では、２種類の光源が発する光によって混色される照明光を所定の色再現領域内で可変色することができるが、色再現領域の色温度の高い側と低い側との中間の色温度で光束のピークが生じる。すなわち、２種類の光源をそれぞれ全光点灯させた状態での色温度で光束のピークが生じる。
【０００４】
この光束のピークの色温度よりも高い側または低い側に可変色すると、２種類の光源のうちの一方を減光するために、光束が低下していくことになる。
【０００５】
照明光を可変色させると、光束が大きく変化してしまうため、明るさの変化に違和感を感じる場合がある。また、照明器具を選定する場合に、光束の値を参考にするが、照明光を可変色させると、光束の値が大きく変化してしまうため、照明器具の選定が難しくなる。
【先行技術文献】
【特許文献】
【０００６】
【特許文献１】特開２０１２−３９９３号公報
【発明の概要】
【発明が解決しようとする課題】
【０００７】
照明光を可変色させると、光束が大きく変化してしまう問題がある。
【０００８】
本発明が解決しようとする課題は、可変色させても光束の変化が少ない照明装置を提供することである。
【課題を解決するための手段】
【０００９】
実施形態の照明装置は、第１の色温度の光を発する第１の光源、第１の光源とは異なる第２の色温度の光を発する第２の光源、および電源部を備える。電源部は、第１の光源および第２の光源に電力を供給して発光させ、第１の光源が発する光と第２の光源が発する光とによって混色される照明光を所定の色再現領域内で可変色させる。電源部は、色再現領域の上限側が、色温度の高い側および低い側の少なくともいずれか一方にピークを有するとともに、色温度の高い側と低い側との間で連続するように制御する。
【発明の効果】
【００１０】
本発明によれば、可変色させても光束が大きく変化することがなく、違和感なく可変色させることが期待できる。
【図面の簡単な説明】
【００１１】
【図１】一実施形態を示す照明装置が再現可能な色温度と相対光出力との関係を示すグラフである。
【図２】同上照明装置の光源ユニットの配線図である。
【図３】同上照明装置の器具ユニットの配線図である。
【図４】同上照明装置の斜視図である。
【発明を実施するための形態】
【００１２】
以下、一実施形態を、図１ないし図４を参照して説明する。
【００１３】
図４に示すように、照明装置10は、光源ユニット11、およびこの光源ユニット11が着脱可能に取り付けられる器具ユニット12を備えている。そして、器具ユニット12が天井等に設置され、この器具ユニット12の下部に光源ユニット11が取り付けられる。
【００１４】
そして、光源ユニット11は、長尺状の支持体15、この支持体15の下面に取り付けられる発光モジュール16、この発光モジュール16を覆って支持体15に取り付けられる透光カバー17、および光源ユニット11を器具ユニット12に取り付けるための複数の取付部18等を備えている。
【００１５】
図２に示すように、発光モジュール16は、基板24、およびこの基板24の表面に実装された第１の発光素子25および第２の発光素子26を備えている。
【００１６】
基板24の表面に第１の配線パターンおよび第２の配線パターンが形成され、これら第１の配線パターンおよび第２の配線パターン上に第１の発光素子25および第２の発光素子26がそれぞれ電気的に接続された状態に実装されている。第１の発光素子25および第２の発光素子26はそれぞれ第１の配線パターンおよび第２の配線パターンによって直列に接続されている。
【００１７】
基板24は、長手方向に４分割されており、隣り合う基板24がコネクタ等で電気的に接続されている。発光モジュール16の長手方向の両端には端子部28，29がそれぞれ設けられている。一端側の端子部28には一対の第１の入力端子30の一方および一対の第２の入力端子31の一方がそれぞれ設けられ、他端側の端子部29には一対の第１の入力端子30の他方および一対の第２の入力端子31の他方がそれぞれ設けられている。一対の第１の入力端子30間に第１の発光素子25が電気的に接続され、一対の第２の入力端子31間に第２の発光素子26が電気的に接続されている。
【００１８】
一端側の端子部28には一端側の光源接続部32が接続線33によって接続され、他端側の端子部29には他端側の光源接続部34が接続線35によって接続されている。一端側の光源接続部32は３端子構造のリセプタクルハウジングによって構成され、他端側の光源接続部34は４端子構造のリセプタクルハウジングによって構成されている。そして、光源接続部32，34は、接続線33，35によって支持体15の外側に引き出され、器具ユニット12側への接続が可能となっている。
【００１９】
第１の発光素子25と第２の発光素子26とは、異なる色温度の光を発するものである。本実施形態では、第１の発光素子25は昼白色の色温度の光を発し、第２の発光素子26は電球色の色温度の光を発する。これら発光素子25，26は、例えばＬＥＤや有機ＥＬ等によって構成されている。第１の発光素子25は基板24の幅方向の一側で基板24の長手方向に沿って所定の間隔をあけて実装され、第２の発光素子26は基板24の幅方向の他側で基板24の長手方向に沿って所定の間隔をあけて実装されている。
【００２０】
そして、第１の発光素子25が所定の色温度の光を発する第１の光源37であり、第２の発光素子26が第１の光源37とは異なる色温度の光を発する第２の光源38である。
【００２１】
次に、図３および図４に示すように、器具ユニット12は、長手状の器具本体50を備えるとともに、この器具本体50に配置された電源部としての第１の電源部51および第２の電源部52、電源端子台53および調光端子台54等を備えている。
【００２２】
器具本体50には、光源ユニット11の各取付部18を取り付けるための複数の支持部55が取り付けられている。
【００２３】
第１の電源部51は第１の光源37である第１の発光素子25に電力を供給し、第２の電源部52は第２の光源38である第２の発光素子26に電力を供給する。第１の電源部51および第２の電源部52の一方の端部には、交流電力を入力する第１の電源端子51aおよび第２の電源端子52aと、調光信号を入力する第１の信号端子51bおよび第２の信号端子52bが配設され、また、他方の端部には、直流電力を出力する第１の出力端子51cおよび第２の出力端子52cが配設されている。各電源部51，52は、電源端子51a，52aから入力される交流電力を整流および平滑し、スイッチング素子のスイッチング動作により所定の直流電力に変換して出力端子51c，52cから出力するコンバータ57，58、およびこのコンバータ57，58のスイッチング素子のオンオフを制御する制御部59，60を有している。そして、第１の電源部51の制御部59および第２の電源部52の制御部60は、信号端子51b，52bから調光信号を入力し、第１の発光素子25および第２の発光素子26の点灯・消灯および調光を個別に制御することができる。そして、第１の電源部51および第２の電源部52は、器具本体50の長手方向に沿って直線状に並べ、それぞれ電源端子51a，52aを有する一方の端部を互いに対向させるとともに出力端子51c，52cを有する他方の端部を器具本体50の端部側に向けた状態で、器具本体50内に収納されて取り付けられている。
【００２４】
また、電源端子台53は器具本体50の一端に配設され、調光端子台54は器具本体50の他端に配設されている。電源端子台53には、交流電力を供給する電源線が電気的に接続される。調光端子台54には、調光信号を出力する調光部からの信号線が電気的に接続される。
【００２５】
そして、第１の電源部51の電源端子51aおよび第２の電源部52の電源端子52aと電源端子台53とが第１の給電線66aおよび第２の給電線66bでそれぞれ接続されている。第１の電源部51の信号端子51bおよび第２の電源部52の信号端子52bと調光端子台54とが第１の信号線67aおよび第２の信号線67bでそれぞれ接続されている。
【００２６】
第１の電源部51の一対の出力端子51cに接続線68，69がそれぞれ接続され、一方の接続線68が器具本体50の一端側に配置される一端側の器具接続部70に接続され、他方の接続線69が器具本体50の他端側に配置される他端側の器具接続部71に接続されている。第２の電源部52の一対の出力端子52cに接続線72，73がそれぞれ接続され、一方の接続線72が他端側の器具接続部71に接続され、他方の接続線73が一端側の器具接続部70に接続されている。
【００２７】
一端側の器具接続部70は３端子構造のプラグハウジングによって構成され、他端側の器具接続部71は４端子構造のプラグハウジングによって構成されている。したがって、一端側の器具接続部70には、一端側の光源接続部32および他端側の光源接続部34のうちの一端側の光源接続部32のみが機械的および電気的に接続可能とし、また、他端側の器具接続部71には、一端側の光源接続部32および他端側の光源接続部34のうちの他端側の光源接続部34のみが機械的および電気的に接続可能としている。そして、一端側の器具接続部70と一端側の光源接続部32とが接続されるとともに他端側の器具接続部71と他端側の光源接続部34とが接続されることにより、第１の電源部51の一対の第１の出力端子51cと発光モジュール16の一対の第１の入力端子30とが電気的に接続され、第２の電源部52の一対の第２の出力端子52cと発光モジュール16の一対の第２の入力端子31とが電気的に接続される。
【００２８】
そして、このように構成された照明装置10において、第１の電源部51の制御部59および第２の電源部52の制御部60は、第１の光源37および第２の光源38にそれぞれ電力を供給して発光させ、第１の光源37が発する光と第２の光源38が発する光とによって混色される照明光を所定の色再現領域内で可変色させ、かつ、色再現領域の光束の上限側が、色温度の高い側および低い側の少なくともいずれか一方に光束のピークを有するとともに、色温度の高い側と低い側との間で光束値が連続するように制御する機能を有している。
【００２９】
図１に、色温度６０００Ｋの第１の光源37と色温度２３００Ｋの第２の光源38とを用いた場合において、再現可能な色温度と相対光出力（相対光束）との関係を示す。
【００３０】
仮に、第１の光源37および第２の光源38をそれぞれ全光点灯させた場合、再現可能な色温度範囲の中間に相対光出力が最大となるピークP1が生じ、このときの色温度は３５００Ｋ程度となる。この第１の光源37および第２の光源38をそれぞれ全光点灯させた状態から、可変色させるために、第２の光源38を減光させるように調光すると、相対光出力がピークP1から第２の光源38が消灯して第１の光源37のみの点灯となる色温度６０００Ｋまで大きく低下することになる。同様に、第１の光源37を減光させるように調光すると、相対光出力がピークＰ1から第１の光源37が消灯して第２の光源38のみの点灯となる色温度２３００Ｋまで大きく低下することになる。したがって、照明光を可変色させると、光束が大きく変化してしまうことになる。
【００３１】
本実施形態では、第１の電源部51の制御部59および第２の電源部52の制御部60により、第１の光源37および第２の光源38の両方を点灯させた状態で、第１の光源37が発する光と第２の光源38が発する光とによって混色される照明光を所定の色再現領域Ａ内で可変色させるように制御する。
【００３２】
色再現領域Ａの色温度可変範囲は、第１の光源37および第２の光源38の両方が点灯して再現可能な５０００Ｋから２７００Ｋに制御する。
【００３３】
色再現領域Ａの上限側Ｕは、第１の光源37および第２の光源38のいずれも全光点灯の調光度よりも低い調光度に制御しており、第１の光源37および第２の光源38を全光点灯させた場合のピークP1より低くなる。そして、色再現領域Ａの上限側Ｕは、色温度の高い側に相対光出力のピークP2を有するとともに、色温度の高い側のピークP2から色温度の低い側に亘って相対光出力（光束値）が連続するように制御する。ピークP2に関しては、色温度５０００Ｋと２７００Ｋとで第１の光源37および第２の光源38に供給する電力が同じワット数である場合、昼光色の第１の光源37の発光効率が電球色の第２の光源38の発光効率よりも高いため、色温度の高い方にピークP2が生じる。また、色再現領域Ａの上限側Ｕの色温度の高い側と低い側との差は２０％以内の範囲に制御する。
【００３４】
色再現領域Ａの下限側Ｄは、第１の光源37および第２の光源38を減光可能な下限値となる。
【００３５】
そして、第１の電源部51の制御部59および第２の電源部52の制御部60により、第１の光源37および第２の光源38の両方を点灯させた状態で、第１の光源37が発する光と第２の光源38が発する光とによって混色される照明光を色再現領域Ａ内で可変色させるように制御するため、可変色させても相対光出力が大きく変化することがなく、明るさを一定のまま可変色することができる。
【００３６】
すなわち、実際には色再現領域Ａよりも高い光出力を得ることは可能であるが、あえて色再現領域Ａの上限側Ｕに光出力を制限することにより、可変色させても相対光出力が大きく変化することがなく、明るさを一定のまま可変色することができる。
【００３７】
また、色再現領域Ａの色温度の高い側に相対光出力のピークP2を有するように制御するため、色再現領域Ａの色温度の高い側と低い側とで第１の光源37および第２の光源38に供給する電力が同じワット数で制御できるため、調光制御を容易にできる。
【００３８】
また、色再現領域Ａの上限側Ｕの色温度の高い側と低い側との差を２０％以内の範囲に制御するため、可変色させても明るさの変化は感じにくくすることができる。色再現領域Ａの上限側Ｕの色温度の高い側と低い側との差が２０％よりも大きいと、可変色させると、明るさの変化が感じやすくなる。
【００３９】
なお、色再現領域Ａの相対光出力のピークは、第１の電源部51の制御部59および第２の電源部52の制御部60により、色温度の低い側に存在するように制御してもよい。
【００４０】
また、色再現領域Ａの相対光出力のピークは、第１の電源部51の制御部59および第２の電源部52の制御部60により、色温度の高い側と低い側との両方に存在するように制御してもよい。この場合、色再現領域Ａの上限側Ｕはフラットとなり、可変色させても相対光出力の変化がなく、明るさを一定のまま可変色することができる。このような制御は、色再現領域Ａの色温度の高い側と低い側とで第１の光源37および第２の光源38に供給する電力を異ならせることによって可能となっている。
【００４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
10    照明装置
37    第１の光源
38    第２の光源
51    電源部としての第１の電源部
52    電源部としての第２の電源部
Ａ    色再現領域
【図１】
2015167083.tif 000003
【図２】
2015167083.tif 000004
【図３】
2015167083.tif 000005
【図４】
2015167083.tif 000006